(57)【要約】      （修正有）【課題】地震時に起きる揺れから家庭に配備する家具の倒れや移動を防ぐ為の使い易く且つ激震にに耐える転倒防止具であること。【解決手段】板状の金属材等を９０度曲げの第一内角θでなる第一辺１と第二辺２でのＬ字形状にし、此れらの第二辺２の底面部に位置して直交する第二角θ′を９０度曲げでの第三辺３を設けた２個のＬ字形状にし、此れらの転倒防止具Ｂでの第一内角θ面に接着剤４等を付着し、家具Ａの床面Ｃでの設置面でのコーナーに接合することで、此れらの家具Ａ等の前方に位置して突き出る第三辺３のと床面Ｃとの接合が、地震の揺れでの家具Ａの前方倒れや傾き移動の被害を防止可能にした構成作用を具現している。【選択図】図１
0003117883.tif 000002
【実用新案登録請求の範囲】
【請求項１】
板状金属材等での第一内角（θ）略９０度曲げでの第一辺（１）と第二辺２とのＬ字形状で、該第二辺（２）の底辺部（２ａ）に位置して第二内角（θ′）略９０度曲げでの第三辺（３）での二つのＬ字形状でなる転倒防止具であって、此れらの第一内角（θ）面に接着剤（４）等を付けて家具（Ａ）の前方底板のコーナー（ＡＡ）に第一内角（θ）を固着自在にし、第三辺（３）が家具（Ａ）の前方で床面（Ｃ）接触可能にし地震での家具Ａの倒れを回避可能にしたことを特徴とする転倒防止具。
【考案の詳細な説明】
【技術分野】
【０００１】この考案はとっさに起こる地震の強烈な振動で住まいの家具類の倒れや移動等で収納物が床面に飛だし破損したり、近辺に支障を来すが、突如発生する地震での家具類の倒れや移動を防ぐ為の転倒防止具に関する。
【背景技術】
【０００２】この種の従来の技術として図３（ａ）で述べるようにとっさに起こる地震の揺れから家具等の倒れに依る被害お回避するのに木材板状の単純な転倒防止具Ｂを壁面の当木Ｄに釘付けで固定し背面と横面の２面で壁片隅の床面Ｃに配置する家具Ａの前滑りや前倒れを防いで居る。【０００３】また図３（ｂ）では前記する壁面の当木Ｄに固定する転倒防止具Ｂと違って家具Ａ前方底板と床面の間にクサビ状に木製等で加工した２個の転倒防止具Ｂが差し込まれ、家具Ａを後ろ倒しにし揺れでの家具の前のめりがしにくい床面との設置にして防いでいる。【０００４】また次ぎに図４での従来の技術では床面に配置した家具Ａの天板と天上との空間に段ボール箱や衣類収納箱等を家具Ａの天板に積み上げて天上までとどく様にし、家具Ａの地震での揺れによる倒れでの被害を防ぐ等が一般に行われて居る。
【考案の開示】
【考案が解決しようとする課題】
【０００５】しかしながら上述する従来技術の場合いは図３（ａ）での家具Ａでの転倒防止具Ｂでは家具Ａを壁面のコーナーに設置しない限り使う事が出来ず即ちリビングや台所や書斎等での壁面コーナーに配置での転倒防止具Ｂに特定しなければならず、且つ片面だけでの家具Ａの固定の為強い振動等で家具Ａの横ずれで簡単に転倒防止具Ｂからは外れて終う等の課題がある。【０００６】次ぎに図３（ｂ）での転倒防止具Ｂでは２個のクサビ状の為家具Ａの底板と床面Ｃとの間に隙間が出来ゴミや異物が入り込むだけでなく、棚が傾斜する事で収納物のセットや出し入れ等の不便や傾斜する家具Ａの室内配置での美観を損なう等の多々課題が残る。【０００７】次ぎにまた図４での家具Ａの天板に積み上げた物品を転倒防止具Ｂにすることで、地震の揺れ具合が強くなる程に軟弱建材での天上は家具Ａの揺れを支えきれずに破損する等で其の効果をあまり期待出来ない等の課題がある。【０００８】この様に多様化する家具類を地震の揺れに、安全に保護するための最適な転倒防止具が見つからずに地震での家具Ａの転倒や揺れでの収納物の飛び出しや破損、強いては人命に拘わる悲劇が後を断たず、もとより家具Ａの最適な転倒防止具が強く要望されて居た。
【課題を解決するための手段】
【０００９】この考案はかかる課題を解決するために、請求項１で述べる様に板状の金属材等で成る第一片１と直交する第二辺２の第一内角θを略９０度に曲げ、更に第一辺１の底面部に位置して直交する第二角θを略９０度曲げでの第三辺を設けた形状での転倒防止具で、此れらの第一内角θ面に接着剤４等を付着し、家具Ａの床面Ｃ上の設置面でのコーナーに接合することで、此れらの家具Ａ等の前方に位置して付き出る第三辺３の床面Ｃ上との接合が、揺れでの家具Ａの前方倒れやずれ傾きを防止可能にしている。
【考案の効果】
【００１０】本考案は上述の通り構成作用するので次の優れた効果を奏する。即ちリビングや台所、書斉、寝室等に装備する家具類の床面に接地する土台の前方の双方のコーナーに張り付けるだけで済む、いわゆる家具を持ち上げたりする事なく、或いは壁のコーナーに限定される家具の配置に限らず、家具の背面が壁面に配置され地震の揺れで家具が後ろ向きに倒れな限り、強震の揺れで２個の本考案での転倒防止具が家具の前面両サイドで床面に密着して突き出る板状の第三辺が揺れる家具を支える事の出来る転倒防止具を提供することが出来る。
【考案を実施するための最良の形態】
【００１１】以下に図示の実施例に基づいて本考案を更に詳細に説明する。即ち図１（ａ）は本考案での第一実施例を示す全体斜視図で家具Ａ類の前面土台右サイドに装備する転倒防止具Ｂで図１（ｂ）は前記左サイドに装備する勝手違いの転倒防止具Ｂの全体斜視図で、図２においては家具Ａ（洋服タンス）の前面土台右サイドに本考案の転倒防止具Ｂを装備形態での斜視図である。【００１２】突如として発生する地震の揺れで家庭に据え付けた家具Ａ等の倒れに思いがけない被害を誘発する。特に深夜に眠りについた後家具Ａの倒れで下敷きで大怪我をしたり、家具Ａの収納物が揺れに耐え切れず外部に飛び出す等で思いがけない危害をこうむるが、多くは前倒れ防ぐ事で解決する事から、本考案でも家具Ａの倒れの解決策として家具Ａの接地面積を拡張することで重心点を後方下部に移動する事を具現化して居る。【００１３】本実施例では金属板をプレス加工で有るが、木製や成形樹脂での材質にする等にして家具Ａとの調和を考える事が出来る。何れにせよ、板状での９０度曲げの第一辺１と第二辺２とでＬ字形状とするが此れらの第一辺１が第二辺２より長いことが望ましく、此れらの直交する第１内角θは家具Ａの前面土台コーナーに接合する構成で、第一辺１は家具Ａの横板に接着剤等で固着され、第一辺１に直交する第二辺２は家具Ａのコーナー前面と接合する事で家具Ａに一体化されるが、本実施例では第一辺１、第二辺２での９０度第一内角θに設けた家具Ａとの一体接合は接着剤４に限らずネジや釘での一体化でも良い。【００１４】此れらの第一辺１と第二辺２とでなるＬ字形状での第二辺２の底面部に位置して直交する９０度での第二内角θからなる二つのＬ字形状の第三辺３を一体的構成での転倒防止具としいる、該第三辺３は其の板状の長さは、家具Ａの前面に位置して床面Ｃに乗せられて配置され、地震の強烈な揺れに耐える強度での第三辺３の長さが設定されて第二辺２とＬ字形状で一体化しての転倒防止具構成作用で有る。
【図面の簡単な説明】
【００１５】
【図１】図中（ａ）は本考案に係わる全体を示す斜視図で有る。図中（ｂ）は（ａ）での考案との勝手違いでの全体を示す斜視図で有る。
【図２】本考案に係わる使用例での斜視図で有る。
【図３】図中（ａ）は従来技術での使用例を示す斜視図で有る。図中（ｂ）は従来技術での他の使用例を示す斜視図で有る。
【図４】従来技術での他の使用例を示す斜視図で有る。
【符号の説明】
Ａ      家具
Ｂ      転倒防止具
Ｃ      床面
１      第一辺
２      第二辺
３      第三辺
４      接着剤
θ      第１内角
θ      第２内角
【図１】
0003117883.tif 000003
【図２】
0003117883.tif 000004
【図３】
0003117883.tif 000005
【図４】
0003117883.tif 000006